(57)【要約】【課題】  縦横方向の強度バランスを保ちながら生産コストを低減できる農業用ネットを提案する。【解決手段】  害虫の侵入が妨げられるような長方形目合い５に合成樹脂製の縦透明フィラメント２および横透明フィラメント３でネット状に構成した農業用ネット１であって、前記縦透明フィラメント２および横透明フィラメント３を透明又は半透明に形成するとともに、前記縦透明フィラメント２および前記横透明フィラメント３の少なくとも一方の間に、色を有する有色糸を所定間隔ごとに織り込んだ。【選択図】  図３
2006204250.tif 000002
【特許請求の範囲】
【請求項１】
害虫の侵入が妨げられるような目合いに合成樹脂製の縦糸および横糸でネット状に構成した農業用ネットであって、
前記縦糸および横糸を透明又は半透明に形成するとともに、
前記縦糸および前記横糸の少なくとも一方の間に、色を有する有色糸を所定間隔ごとに織り込んだ
農業用ネット。
【請求項２】
前記所定間隔を第一所定間隔とし、第一所定間隔の整数倍の第二所定間隔ごとに、有色糸を複数連続して織り込んだ
請求項１に記載の農業用ネット。
【請求項３】
前記縦糸を、前記害虫の侵入が妨げられるような間隔に隔てて略平行に張架し、
前記各縦糸と交差する方向に、前記縦糸の間隔より広い間隔で径の異なる２種類の横糸を交互に織り込んだ
請求項１または２に記載の農業用ネット。
【請求項４】
前記２種類の横糸のうち一方の径を、前記縦糸の径より太く形成した
請求項３に記載の農業用ネット。
【請求項５】
前記２種類の横糸のうち他方の径を、前記縦糸の径と同一に形成した
請求項４に記載の農業用ネット。
【請求項６】
前記横糸の間隔を、前記縦糸の間隔の１．０倍より大きく、かつ２．０倍以下に形成した
請求項３から５のうちいずれかに記載の農業用ネット。
【請求項７】
前記縦糸より太い横糸の径を、前記縦糸の径より、少なくとも１．２倍以上太く形成した
請求項４から６のうちいずれか１つに記載の農業用ネット。
【請求項８】
前記縦糸および横糸の少なくとも一方に紫外線カット剤を付設した
請求項１から７のうちいずれか１つに記載の農業用ネット。
【発明の詳細な説明】
【技術分野】
【０００１】
この発明は、例えばオンシツコナジラミやマメハモグリバエ、キスジノミハムシ、アザミウマ等の害虫が侵入するのを防止することができる農業用ネットに関する。
【背景技術】
【０００２】
従来、農業用ネットとしては、例えば略同一の太さの縦糸と横糸とを略同一の間隔でネット状に構成したネットがある。このようなネットは、縦糸および横糸の太さおよび間隔が同一であるため、縦糸および横糸の交差部分に生じる糸の屈曲率が小さく、相互の接触長さおよび接触抵抗が一定している。このため、ネットに引っ張り力が付与された場合、縦糸および横糸の交差位置が変位しやすく、縦糸および横糸の間に形成された網目が変形するか、目ズレする等して、微細な害虫の侵入を阻止することができなくなる。
【０００３】
また、縦糸および横糸の間隔を狭くすると、相互の締付け力が大きくなるため、網目が変形および目ズレするのを防止するに必要な接触抵抗が得られる。しかし、ネット全体の網目が小さくなり、通気性および除湿性が非常に悪くなるため、農作物の生育に与える影響が大きくなる。また、このような農業用ネットを製造する際には、横糸を予め張架された多数本の縦糸と略直交する方向に何回も往復移動させて織り込むが、横糸の間隔が狭くなるほど、織り込み回数が増加するため、単位面積のネットを製造するのに手間および時間が掛かり、生産性が悪化し、生産コストが高くなる。
【０００４】
また、例えば合成樹脂製の縦糸および横糸で略正方形の網目を形成し、相互の交差部分を熱溶着してなるネット状資材やプリント用複層糸条メッシュシートが提案されている（特許文献１、２参照）。しかし、これらは、縦糸および横糸の間隔を狭くすると、網目全体を略均等に縮小することができるが、縦糸と略直交する方向に織り込まれる各横糸の上下間隔も狭くなるため、網目全体のサイズが小さくなり、通気性および除湿性が非常に悪くなるという問題点を有している。
【０００５】
【特許文献１】特開平１０−４４２７３号公報
【特許文献２】特開２００２−３２７３５３号公報
【発明の開示】
【発明が解決しようとする課題】
【０００６】
この発明は、縦横方向の強度バランスを保ちながら生産コストを低減できる農業用ネットの提供を目的とする。
【課題を解決するための手段】
【０００７】
この発明は、害虫の侵入が妨げられるような目合いに合成樹脂製の縦糸および横糸でネット状に構成した農業用ネットであって、前記縦糸および横糸を透明又は半透明に形成するとともに、前記縦糸および前記横糸の少なくとも一方の間に、色を有する有色糸を所定間隔ごとに織り込んだ農業用ネットであることを特徴とする。
【０００８】
前記害虫の侵入が妨げられるような目合いは、オンシツコナジラミ、マメハモグリバエ、キスジノミハムシ、アザミウマ等の害虫の侵入および通過が妨げられるような目合いを含む。
【０００９】
前記合成樹脂製の糸とは、ポリエチレン（ＰＥ）、塩化ビニル樹脂、アクリル樹脂ならびにＡＢＳ樹脂等の合成樹脂または合成樹脂繊維で形成することを含む。
【００１０】
前記ネット状は、平織り、綾織または朱子織等の織り方で形成することを含み、また、自動織り機で機械的に織ることを含む。  
前記有色糸は、前記縦糸および／または横糸と同一素材および／または同一径で形成されていることを含む。  
また、前記有色糸は白色、黄色、反射色、赤色、緑色、あるいは紫色等の色を、塗布、含浸、ならびに混合等によって着色された有色糸であることを含む。  
また、例えばアルミ等の有害物質を含有しない糸で構成することを含む。
【００１１】
これにより、縦糸および横糸を透明又は半透明に形成することにより、農業用ネットで覆われた空間内に太陽光線が透過し、野菜や果物、花卉等の栽培物（又は農作物）の生育に適した光量を採光することができる。  
また、色を有する有色糸を所定間隔ごとに織り込むことによって、農業用ネットに向けて照射される太陽光線を有色糸で反射することができ、反射光によって害虫の侵入を防ぐ忌避効果を得ることができる。  
また、反射光の色は、反射する有色糸の色によるため、有色糸の色を変えることによって反射光の色を変えることができ、異なる忌避効果を得ることができる。
【００１２】
また、例えば紫色の有色糸と緑色の有色糸とを用いるように、２種類以上の色の有色糸を用いてもよく、これにより、さらなる美観および忌避効果を得ることができる。
【００１３】
また、農業用ネットを所望のサイズに裁断する際に、有色糸によって農業用ネットのサイズを把握することができる。
【００１４】
また、例えば銀やアルミ等を蒸着させた糸を織り込むことで忌避効果を得ていた従来の農業用ネットの場合、廃棄する際に銀やアルミ等を蒸着させた糸を分別して廃棄しなければならなかったが、有害物質を含有しないＰＥ製の着色した糸を織り込むことで忌避効果を得ているため、農業用ネットを廃棄する場合であっても、分別して廃棄する必要がなく、廃棄のための手間を省くことができる。
【００１５】
この発明の態様として、前記所定間隔を第一所定間隔とし、第一所定間隔の整数倍の第二所定間隔ごとに、有色糸を複数連続して織り込むことができる。  
また、色を有する有色糸を第二所定間隔ごとに、複数連続して織り込むことによって、害虫の侵入を防ぐ忌避効果をさらに向上することができる。  
また、農業用ネットを所望の大きなサイズに裁断する場合であっても、有色糸によって農業用ネットのサイズを容易に把握することができる。
【００１６】
また、この発明の態様として、前記縦糸を、前記害虫の侵入が妨げられるような間隔に隔てて略平行に張架し、前記各縦糸と交差する方向に、前記縦糸の間隔より広い間隔で径の異なる２種類の横糸を交互に織り込むことができる。
【００１７】
前記交差は、略直交や斜角交差を含む。  
前記径の異なる２種類の横糸を交互に織り込みとは、径の異なる２種類の横糸が互いに隣り合うように織り込むことを指す。  
これにより、微細な害虫が農業用ネットの網目から侵入しようとしても、害虫の羽根が縦糸および横糸に接触し、または害虫の体が縦糸間に挟まる等して通過できないため、農業用ネットで覆われた空間内への害虫の侵入を阻止することができる。  
また、前記各縦糸と交差する方向に、前記縦糸の間隔より広い間隔で横糸を織り込んだことにより、縦糸の間隔と横糸の間隔とを略同一で形成した場合よりも、縦糸および横糸の間に形成される長方形の網目の方が大きくなる。従って、農業用ネットで覆われた空間内の通気性および除湿性が向上することができ、栽培に適した温度および環境に保つことができる。  
また、横糸の織り込み本数および織り込み回数が少ないため、農業用ネット全体の重量が軽く、取り扱いが簡単かつ容易に行える。  
さらに、横糸の織り込み回数が減少し、横糸の一織りによる織り上げ長さが長くなるため、機械的に織るときに要する時間が大幅に短縮され、生産性の向上および生産コストの低減を図ることができる。  
また、縦糸の間隔を調整することによって害虫の侵入を防止できるため、横糸を織り込む時間に影響を与えずに防虫効果を調整することができる
また、径の異なる２種類の横糸を交互に織り込むことによって、農業用ネットの縦方向と横方向の強度バランスを調整することができる。
【００１８】
また、横糸と交差および接触する縦糸の外周面が、その横糸の外周面の一部に沿う状態に変形又は屈曲するため、相互の接触長さおよび接触抵抗が大きくなり、縦糸および横糸の交差位置が変位しにくく、網目が変形および目ズレするのを防止するに必要な抵抗を得ることができる。従って、微細な害虫の侵入を防止する効果が安定して得られる。  
また、農薬や殺虫剤を殆ど使用せずに害虫の侵入を防止することができるので、農薬の散布量が少なくて済み、自然環境に与える影響を少なく、減農薬栽培および無農薬栽培に適する。
【００１９】
また、この発明の態様として、前記２種類の横糸のうち一方の径を、前記縦糸の径より太く形成することができる。  
これにより、横糸の間隔を広げたことによって生じる農業用ネットの横方向強度の低下を防止することができる。  
また、横糸を全て太い横糸で構成した場合と比べて、生産コストを低減することができる
また、この発明の態様として、前記２種類の横糸のうち他方の径を、前記縦糸の径と同一に形成することができる。
【００２０】
これにより、２種類の径の糸を準備すれば、太さの異なる横糸を織り込んだ農業用ネットを構成することができる。  
従って、施工性の向上、農業用ネットの生産に必要な糸の在庫量の低減等によって生産コストを低減することができる。
【００２１】
また、この発明の態様として、前記横糸の間隔を、前記縦糸の間隔の１．０倍より大きく、かつ２．０倍以下に形成することができる。  
これにより、一方の横糸の径の調整によって、農業用ネットの縦方向と横方向の強度バランスを保つことができる。
【００２２】
また、この発明の態様として、前記縦糸より太い横糸の径を、前記縦糸の径より、少なくとも１．２倍以上太く形成することができる。  
これにより、農業用ネットの縦方向と横方向の強度バランスを保つことができる。
【００２３】
また、この発明の態様として、前記縦糸および横糸の少なくとも一方に紫外線カット剤を付設することができる。  
前記紫外線カット剤は、ＵＶカット剤であることを含み、塗布、含浸、ならびに混合等によって縦糸および横糸に付設することを含む。  
これにより、農業用ネットで覆われた空間内に透過する紫外線量を調整することができる。
【発明の効果】
【００２４】
この発明によれば、縦横方向の強度バランスを保ちながら生産コストを低減できる農業用ネットの提供することができる。
【発明を実施するための最良の形態】
【００２５】
この発明の一実施形態を以下図面と共に説明する。  
農業用ネット１の使用状況の斜視図を示す図１、農業用ネット１の一部平面図を示す図２、縦透明フィラメント２および横透明フィラメント３の拡大平面図を示す図３、ならびに縦透明フィラメント２および横透明フィラメント３の縦断側面図による交差部の説明図を示す図４とともに、農業用ネット１について説明する。  
農業用ネット１は、例えば野菜や果物、花卉等の栽培物（又は農作物）Ａを栽培するネットハウス１０の外形に合うかまぼこ型に、裁断ならびに縫製加工され、フレーム１１に掛止して使用する。ネットハウス１０のサイズは、栽培物Ａの種類によって異なるため、使用するネットハウス１０に適したサイズに加工して用いられる。
【００２６】
農業用ネット１は、縦透明フィラメント２、横透明フィラメント３（３ａ、３ｂ）、縦白色フィラメント４ａ、ならびに横白色フィラメント４ｂとで構成している。詳述すると、縦透明フィラメント２を１インチ当たり６５本織り込める左右間隔Ｄ１で、横透明フィラメント３を１インチ当たり４５本織り込める上下間隔Ｄ２で機械的に平織りして形成している。また、縦透明フィラメント２と横透明フィラメント３が相互に直交することによって長方形（約０．２ミリ×約０．４ミリ）の長方形目合い５を形成している。  
なお、長方形目合い５を、約０．３ミリ×約０．４ミリの長方形で形成してもよい。
【００２７】
なお、図２は、農業用ネット１の構成を容易に理解するため、縦透明フィラメント２および横透明フィラメント３の本数を低減して示している。  
また、左右間隔Ｄ１は、オンシツコナジラミ、マメハモグリバエ、キスジノミハムシ、アザミウマ等の微細な害虫の羽根が縦糸に接触したり、または害虫の体が縦糸間に挟まる等して縦糸間を通過できない間隔である。  
また、２ｃｍごとに、縦白色フィラメント４ａおよび横白色フィラメント４ｂを縦透明フィラメント２および横透明フィラメント３の代わりに織り込んで、第一正方形格子６ａ（図２中破線で示す）を形成している。  
また、１０ｃｍごとの縦透明フィラメント２および横透明フィラメント３と、それらに両側に隣接する縦透明フィラメント２および横透明フィラメント３の代わりに、３本連続して縦白色フィラメント４ａおよび横白色フィラメント４ｂを織り込んで、第二正方形格子６ｂ（図２中一点破線で示す）を形成している
また、縦透明フィラメント２および白色フィラメント４ａと、横透明フィラメント３および白色フィラメント４ｂとは相互に直交している。
【００２８】
なお、縦透明フィラメント２、横透明フィラメント３ならびに白色フィラメント４（４ａ、４ｂ）は、廃棄した場合であっても環境汚染とならないポリエチレン繊維（ＰＥ）で形成している。  
詳述すると、縦透明フィラメント２、横透明フィラメント３ｂならびに縦白色フィラメント４ａを直径約０．１２４ｍｍ（設計値）の１１０デシテックスのＰＥ繊維で形成し、横透明フィラメント３ａおよび横白色フィラメント４ｂを直径約０．１５５（設計値）ｍｍの１８０デシテックスのＰＥ繊維で形成している。  
さらにまた、横透明フィラメント３ａと横透明フィラメント３ｂとは、間隔Ｄ２で交互に織り込んでいる。  
また、縦透明フィラメント２および横透明フィラメント３は透明であり、白色フィラメント４は白色に着色されている。
【００２９】
なお、図４に示すように、農業用ネット１を縦透明フィラメント２および横透明フィラメント３ｂのみで構成した場合の縦透明フィラメント２と横透明フィラメント３ｂとの交差部分の接触長さＬ１（図４中（Ａ）のａ部およびｂ部）より、横透明フィラメント３ａと横透明フィラメント３ｂとを交互に織り込んだことによって、縦透明フィラメント２との交差部分の接触長さＬ２、Ｌ３を長く形成することができる（図４中（Ｂ）のｃ部およびｄ部）。従って、縦透明フィラメント２と、横透明フィラメント３ａまたは横透明フィラメント３ｂとの交差部分の接触抵抗を増大することができる。
【００３０】
これにより、農業用ネット１を栽培物Ａを栽培するネットハウス１０全体又は一部が覆われるように被覆するか、栽培物Ａが覆われる状態に直接被覆する等して使用することによって、栽培時において、農業用ネット１の長方形目合い５から微細な害虫が侵入しようとしても、害虫の羽根が縦透明フィラメント２および横透明フィラメント３に接触するか、害虫の体が縦透明フィラメント２間に挟まる等して通過できないため、農業用ネット１で覆われた空間内へ害虫の侵入を阻止することができる。  
また、横透明フィラメント３の間隔Ｄ２を縦透明フィラメント２の間隔Ｄ１より広げて織り込むため、同一本数の縦透明フィラメント２および横透明フィラメント３で略正方形の目合いを形成するよりも、縦透明フィラメント２および横透明フィラメント３の間に形成される長方形目合い５の方が大きく、通気性および除湿性が向上し、栽培に適した温度および環境に保つことができる。  
また、横透明フィラメント３の織り込み本数および織り込み回数が少ないため、農業用ネット１全体の重量が軽く、農業用ネット１の取り扱いが簡単かつ容易に行える。  
さらに、横透明フィラメント３の織り込み回数が減少し、横透明フィラメント３の一織りによる織り上げ長さが長くなるため、機械的に織るときに要する時間が大幅に短縮され、農業用ネット１の生産性の向上および生産コストの低減を図ることができる。  
また、縦透明フィラメント２の間隔を調整することによって害虫の侵入を防止できるため、横透明フィラメント３を織り込む時間に影響を与えずに防虫効果を調整することができる
また、横透明フィラメント３ａを、縦透明フィラメント２や横透明フィラメント３ｂより太く形成することによって、縦透明フィラメント２および略同一太さのみの横透明フィラメント３を機械的に平織りした場合と比べて、横透明フィラメント３と交差および接触する縦透明フィラメント２の屈曲率が大きくなり、相互の接触長さおよび接触抵抗が大きくなるため、縦透明フィラメント２および横透明フィラメント３の交差位置が変位しにくく、長方形目合い５が変形および目ズレするのを防止することができる。  
なお、縦白色フィラメント４ａおよび横白色フィラメント４ｂの交差部分も同様の効果を得ることができる。  
従って、微細な害虫の侵入を防止する効果が安定して得られるため、農薬や殺虫剤を殆ど使用せずに害虫を防除することができるので、農薬の散布量が少なくて済み、自然環境に与える影響を少なくすることができる。
【００３１】
また、通常、径の細いフィラメントほど高価であるため、横透明フィラメント３ａと横透明フィラメント３ｂとを織り込んだことにより、横透明フィラメント３ｂのみで構成した場合と比べて、生産コストを低減することができる。
【００３２】
また、白色フィラメント４によって１０ｃｍの正方形の第二正方形格子６ｂと２ｃｍの正方形の第一正方形格子６ａを設けたことにより、農業用ネット１をネットハウス１０に合わせて裁断する際や、ネットハウス１０に農業用ネット１を装着する際に農業用ネット１の長さの目安となるため、農業用ネット１の加工や装着を容易にすることができる。
【００３３】
また、縦透明フィラメント２および横透明フィラメント３の代わりに白色フィラメント４を織り込んで第一正方形格子６ａおよび第二正方形格子６ｂを形成したことにより、農業用ネット１に照射される太陽光線を白色フィラメント４の白色によって反射することができ、害虫の侵入を防ぐ忌避効果を備えることができる。
【００３４】
また、例えば銀やアルミ等を蒸着させた糸を織り込むことで忌避効果を得ていた従来の農業用ネットの場合、廃棄する際に銀やアルミ等を蒸着させた糸を分別して廃棄しなければならなかったが、有害物質を含有しないＰＥ製の着色した白色フィラメント４を、同一素材の縦透明フィラメント２および横透明フィラメント３との間に織り込むことで忌避効果を得ているため、農業用ネット１を廃棄する場合であっても、分別して廃棄する必要がなく、廃棄のための手間を省くことができる。  
なお、縦透明フィラメント２、横透明フィラメント３ならびに白色フィラメント４に、塗布、含浸、ならびに混合等によって紫外線カット剤を付設してもよい。  
これにより、農業用ネット１で覆われた空間内に透過する紫外線量を調整することができる。
【００３５】
この発明の構成と、上述の実施形態との対応において、
この発明の目合いは、長方形目合いに対応し、
以下同様に、
縦糸は、縦透明フィラメント２または縦白色フィラメント４ａに対応し、
横糸は、横透明フィラメント３、横白色フィラメント４ｂに対応し、
縦糸の間隔は、左右間隔Ｄ１に対応し、
横糸の間隔は、上下間隔Ｄ２に対応し、
有色糸は、縦白色フィラメント４ａ、横白色フィラメント４ｂに対応するも、
この発明は、上述の実施形態の構成のみに限定されるものではなく、多くの実施の形態を得ることができる。
【図面の簡単な説明】
【００３６】
【図１】農業用ネットの使用状態を示す斜視図。
【図２】農業用ネットの一部平面図
【図３】縦透明フィラメントおよび横透明フィラメントの拡大平面図。
【図４】縦透明フィラメントおよび横透明フィラメントの縦断側面図による交差部分の説明図。
【符号の説明】
【００３７】
１…農業用ネット
２…縦透明フィラメント
３、３ａ、３ｂ…横透明フィラメント
４…白色フィラメント
４ａ…縦白色フィラメント
４ｂ…横白色フィラメント
５…長方形目合い
Ｄ１…左右間隔
Ｄ２…上下間隔
【図１】
2006204250.tif 000003
【図２】
2006204250.tif 000004
【図３】
2006204250.tif 000005
【図４】
2006204250.tif 000006